(57)【特許請求の範囲】
【請求項１】
ＬＥＤモジュールを保持するためのＬＥＤモジュール用ソケット本体と、
該ＬＥＤモジュール用ソケット本体の上面側を覆う透光カバー体とを備え、
前記ＬＥＤモジュール用ソケット本体は、ＬＥＤモジュールの端子部と接触可能なソケット側端子部と、該ソケット側端子部に配線を接続するための配線通路部を備えるＬＥＤモジュール用ソケットにおいて、
前記ＬＥＤモジュール用ソケット本体はソケット側係止部を備え、前記透光カバー体にはカバー体側係止部を備え、当該ソケット側係止部及びカバー体側係止部は相互に係脱可能とし、且つ、前記ソケット側係止部及びカバー体側係止部のうち少なくとも雌側となる係止部は複数備え、
当該ソケット側係止部及びカバー体側係止部とが係止する第一係止位置と、当該ＬＥＤモジュール用ソケット本体の中心軸を基準としてソケット側係止部を所定角度回転した位置とする第二係止位置とを有し、
ＬＥＤモジュール用ソケット本体における前記配線通路部は、ＬＥＤモジュール用ソケット本体と透光カバー体との係止状態において間隙を形成するソケット側切欠部に連続し、
透光カバー体は、前記ソケット側切欠部に対応する位置に配線を外部へ通すためのカバー体側切欠部を備え、
第一係止位置でソケット側切欠部とカバー体側切欠部とが一致して連続し、
第二係止位置でソケット側切欠部とカバー体側切欠部とが不一致となる構成としたことを特徴とするＬＥＤモジュール用ソケット。
【請求項２】
ＬＥＤモジュール用ソケット本体の左右側面位置と透光カバー体との間に側部間隙を備えたことを特徴とする請求項１記載のＬＥＤモジュール用ソケット。
【発明の詳細な説明】
【技術分野】
【０００１】
本発明は、ＬＥＤモジュール（即ち、基板上にＬＥＤ光源部を形成したもの）を保持するＬＥＤモジュール用ソケットに関する。
【背景技術】
【０００２】
従来、基板上に電極及びＬＥＤ光源部を一体に形成したＬＥＤモジュールが公知である。
当該ＬＥＤモジュールは例えば一般照明用の電球（ＬＥＤ電球）の光源等として使用される。当該ＬＥＤモジュールはＬＥＤモジュール用ホルダー（若しくはＬＥＤモジュール用ソケット）に保持した状態において、前記電球等に内蔵される。
【０００３】
上記ＬＥＤモジュールを保持するＬＥＤモジュール用ホルダーは、ＬＥＤモジュールとの接続配線を従来半田付けにより行うものもあるが、近年ではコネクタをモジュール内に備え配線を接続可能とする構造が多く採用されており、より照明装置の組立作業性が向上されるに至っている。
このような構成を開示するものとしては、例えば、表面側の一方向両端部に給電部がそれぞれ形成された発光ダイオードと、前記発光ダイオードを固定するためのヒートシンクと、前記発光ダイオードの外形に合致した形状の開口部を有し且つ所定の厚さを有する絶縁性のホルダーと、を備える発光ダイオードの固定構造であって、前記ホルダーの一方向両端部には、当該一方向に直交する他方向に沿って延びる板状の金属配線体がそれぞれインサートされており、前記金属配線体は、開口部において少なくとも側端部が開口部内に突出するとともに、当該金属配線体の前記他方向の一端部が接続端子として前記ホルダーから外部へ突出しており、前記発光ダイオードを前記ホルダーの開口部内に前記ヒートシンク側からセットし、当該ホルダーを固定手段によりヒートシンクの表面側へ固定することで、発光ダイオードの給電部が開口部内の金属配線体を介してヒートシンク側へ押圧されることを特徴とする発光ダイオードの固定構造が公知である（例えば、特許文献１参照。）。
【０００４】
また一方で、ＬＥＤの保護、ＬＥＤから照射される照明光の分散、低減、集光等を目的として、透光性のカバーで前記ホルダー当該ＬＥＤを覆って設けることが一般的になされている。このようにＬＥＤに対してカバーを設ける構成を開示するものとしては、例えば、固体発光素子からなる発光部と、発光部を配設する本体ケースと、発光部を覆うように本体ケース側面に嵌合される透光性カバー部材と、本体ケース側面と透光性カバー部材の内側面との間に介在する弾性を有するシール部材とを具備していることを特徴とする発光装置が公知である（例えば、特許文献２参照。）。
【０００５】
更に、発光部の正負の電極としての一対の給電部が絶縁性の本体の表面から露出する発光ダイオードと、前記発光ダイオードを固定するための被固定部材と、前記発光ダイオードに相応する開口が形成された絶縁性のホルダーであって、当該ホルダーの内部に、一端が第１端子部として前記開口内へ突出し且つ他端が第２端子部として前記開口から離れた位置で露出する一対の金属配線体が、インサート成形されたホルダーと、を備え、前記ホルダーの開口内に前記発光ダイオードをセットした状態で前記被固定部材に前記ホルダーを固定することで、前記ホルダーの開口内に突出する前記第１端子部と前記発光ダイオードの給電部とを接触させつつ前記第１端子部と前記被固定部材との間に前記発光ダイオードを狭持して固定した発光ダイオードの固定構造であり、ホルダーをその軸中心に回転対称とし、軸中心に１８０°回転しても取付可能となる組立利便性を向上させたものが公知である（例えば、特許文献３参照。）。
【先行技術文献】
【特許文献】
【０００６】
【特許文献１】特許第４７１０７１３号公報
【特許文献２】特開２０１１−２０４８４５号公報
【特許文献３】特許第５０１７６８８号公報
【発明の概要】
【発明が解決しようとする課題】
【０００７】
上記特許文献１のホルダーは、配線と接続するための端子が外部へ突出した構造を有するものである。当該ホルダーは外部の配線との接続が容易である点で利便性を有するものの、透光性のカバーを取り付けるのに際して発光部に沿う小型のものを使用する場合には必ず配線は外部へ露出し、外部の配線を内部へ格納しようとすると突出した端子を含む大型の透光性のカバーを必要とする。このため、用途に応じて、異なる大きさの透光性のカバーを用いる必要があった。
【０００８】
次に、上記特許文献２に開示される発光装置は、常に同一構造をとるものの、外部の配線を最終的に外部へ延長することも内部に配線することも可能とする構成を有するものである。当該構成は利便性が高いとも考えられるが、常にＬＥＤモジュールの基板の裏面側へ配線を迂回させる構造を必須とするものであり、取付面に対するＬＥＤの位置が高くなり、全体として嵩が高くなる欠点を有する。また、ヒートシンクに対してＬＥＤモジュールを密着させることが出来なくなるため、放熱効果が低下する欠点を有する。
【０００９】
また、上記特許文献３に開示される発光装置は、ＬＥＤを有する基板をヒートシンク上に配置し、前記基板に対して１８０°の回転対称で透光性のカバーを間接的に設置可能な発光装置である。
【００１０】
しかしながら、上記構成は、基板に対して１８０°の回転対称で透光性のカバーを間接的に設置可能な点については取付の利便性のみで構成は何ら変わるものではなく、また放熱効果は良好であるものの、用途に応じた配線の配置は実現できないものであった。
【００１１】
このため、十分な放熱効果を確保でき、外部配線を当該ＬＥＤモジュール用ソケットの外側に接続する配置と、当該ＬＥＤモジュール用ソケットの内側に接続する配置とを簡単に切り替えることについて、これまで何ら解決されない現状があった。
【００１２】
本発明は以上の事情に鑑みてなされたものであり、ＬＥＤモジュールの放熱効果を十分に確保した上で、一組のＬＥＤモジュールソケット本体と透光カバー体によって配線に応じた構造を簡単に切り替えることができ、利便性、経済性に優れたＬＥＤモジュール用ソケットの提供を、発明が解決しようとする課題とする。
【課題を解決するための手段】
【００１３】
本発明は、ＬＥＤモジュールを保持するためのＬＥＤモジュール用ソケット本体と、該ＬＥＤモジュール用ソケット本体の上面側を覆う透光カバー体とを備え、前記ＬＥＤモジュール用ソケット本体は、ＬＥＤモジュールの端子部と接触可能なソケット側端子部と、該ソケット側端子部に配線を接続するための配線通路部を備えるＬＥＤモジュール用ソケットにおいて、前記ＬＥＤモジュール用ソケット本体はソケット側係止部を備え、前記透光カバー体にはカバー体側係止部を備え、当該ソケット側係止部及びカバー体側係止部は相互に係脱可能とし、且つ、前記ソケット側係止部及びカバー体側係止部のうち少なくとも雌側となる係止部は複数備え、当該ソケット側係止部及びカバー体側係止部とが係止する第一係止位置と、当該ＬＥＤモジュール用ソケット本体の中心軸を基準としてソケット側係止部を所定角度回転した位置とする第二係止位置とを有し、ＬＥＤモジュール用ソケット本体における前記配線通路部は、ＬＥＤモジュール用ソケット本体と透光カバー体との係止状態において間隙を形成するソケット側切欠部に連続し、透光カバー体は、前記ソケット側切欠部に対応する位置に配線を外部へ通すためのカバー体側切欠部を備え、第一係止位置でソケット側切欠部とカバー体側切欠部とが一致して連続し、第二係止位置でソケット側切欠部とカバー体側切欠部とが不一致となる構成としたことを特徴とするＬＥＤモジュール用ソケットを、課題を解決するための手段とする。
【００１４】
また、本発明は上記構成を前提として、ＬＥＤモジュール用ソケット本体の左右側面位置と透光カバー体との間に側部間隙を備えたことを特徴とするＬＥＤモジュール用ソケットを、課題を解決するための手段とする。
【発明の効果】
【００１５】
本発明によれば、ヒートシンクに対してＬＥＤモジュールを当接して当該ＬＥＤモジュールに対する十分な放熱効果を確保した上で、ＬＥＤモジュール用ソケットから外部へ向けて配線を行いたい場合には、当該ＬＥＤモジュールソケット本体と透光カバー体とを第一係止位置で係止させ、ソケット側切欠部とカバー側切欠部とを一致させることで貫通路を形成することにより、外部へ配線を取り出すことを可能とする。
またＬＥＤモジュール用ソケット内において導通路を確保する際には、当該ＬＥＤモジュールソケット本体と透光カバー体とを第二係止位置で係止させ、ソケット側切欠部とカバー側切欠部とを不一致となる位置とすることで、ソケット側切欠部に対応する位置は透光カバー体によって閉塞され、またカバー側切欠部に対応する位置にはＬＥＤモジュール用ソケット本体によって閉塞されるから、一組のＬＥＤモジュールソケット本体と透光カバー体によって配線に応じた構造を簡単に切り替えることができる。この結果、利便性、経済性、外観体裁を向上させることができる。
【００１６】
また、ソケット側切欠部に対応する位置は透光カバー体によって閉塞され、またカバー側切欠部に対応する位置にはＬＥＤモジュール用ソケット本体によって閉塞されるから、上記作用効果に加えて、ＬＥＤ照明内への異物等の侵入を阻止できるＬＥＤモジュール用ソケットとすることができる。
【００１７】
また、本発明は上記作用効果を奏することに加えて、ＬＥＤモジュール用ソケット本体の左右側面位置と透光カバー体との間に側部間隙を備えたことによって、透光カバー体の開放、脱着を容易とし、更に組立時や部品交換時の作業性を向上させることができる。
【図面の簡単な説明】
【００１８】
【図１】本発明の実施例１に係るＬＥＤモジュール用ソケットのＬＥＤモジュール用ソケット本体、透光カバー体、ＬＥＤモジュール及びヒートシンクの位置関係を示す説明斜視図である。
【図２】本発明の実施例１に係るＬＥＤモジュール用ソケットのＬＥＤモジュール用ソケット本体、透光カバー体、ＬＥＤモジュール及びヒートシンクの位置関係を示す説明斜視図である。
【図３】本発明の実施例１に係るＬＥＤモジュール用ソケットにおけるソケット本体基板の（ａ）正面、平面及び右側面を表した斜視図、（ｂ）背面、底面及び左側面を表した斜視図である。
【図４】本発明の実施例１に係るＬＥＤモジュール用ソケットにおけるソケット本体蓋板の（ａ）正面、平面及び右側面を表した斜視図、（ｂ）背面、底面及び左側面を表した斜視図である。
【図５】本発明の実施例１に係るＬＥＤモジュール用ソケットの拡大底面図であって、（ａ）第一係止位置、（ｂ）第二係止位置を示すものである。
【図６】本発明の実施例１に係るＬＥＤモジュール用ソケットに（ａ）外部からの配線を接続した状態としてヒートシンク上に設置した状態を示す説明斜視図、（ｂ）内部からの配線を接続した状態としてヒートシンク上に設置した状態を示す説明斜視図である。
【図７】図１におけるＬＥＤモジュール用ソケット本体の（ａ）Ａ−Ａ断面図、（ｂ）Ｂ−Ｂ断面図である。
【図８】本発明の実施例２に係るＬＥＤモジュール用ソケットのＬＥＤモジュール用ソケット本体及び透光カバー体、ＬＥＤモジュール、ヒートシンクの位置関係を示す説明斜視図である。
【図９】本発明の実施例２に係るＬＥＤモジュール用ソケットの拡大底面図であって、（ａ）第一係止位置、（ｂ）第二係止位置を示すものである。
【図１０】本発明における透光カバー体のうち（ａ）円柱状としたもの、（ｂ）レンズを用いたもの、（ｃ）反射板を用いたものを示す斜視図である。
【発明を実施するための形態】
【００１９】
ＬＥＤモジュール４を保持するためのＬＥＤモジュール用ソケット本体２と、該ＬＥＤモジュール用ソケット本体２の上面側を覆う透光カバー体３とを備えるものであり、前記ＬＥＤモジュール用ソケット本体２は、ＬＥＤモジュール４の端子部４１と接触可能なソケット側端子部２１と、該ソケット側端子部２１に配線６を接続するための配線通路部２３を備え、前記ＬＥＤモジュール用ソケット本体２はソケット側係止部２０を備え、前記透光カバー体３にはカバー体側係止部３０を備え、当該ソケット側係止部２０及びカバー体側係止部３０は相互に係脱可能とし、且つ、前記ソケット側係止部２０及びカバー体側係止部３０のうち少なくとも雌側となる係止部は複数備え、当該ソケット側係止部２０及びカバー体側係止部３０とが係止する第一係止位置と、当該ＬＥＤモジュール用ソケット本体２の中心軸を基準としてソケット側係止部２０を所定角度回転した位置とする第二係止位置とを有し、ＬＥＤモジュール用ソケット本体２における前記配線通路部２３は、ＬＥＤモジュール用ソケット本体２と透光カバー体３との係止状態において間隙を形成するソケット側切欠部２２に連続し、透光カバー体３は、前記ソケット側切欠部２２に対応する位置に配線６を外部へ通すためのカバー体側切欠部を備え、ＬＥＤモジュール用ソケット１から外部へ向けて配線６を行いたい場合には、第一係止位置でソケット側切欠部２２とカバー体側切欠部とが一致して連続して貫通路を形成することにより、外部へ配線６を取り出すことを可能とし、ＬＥＤモジュール用ソケット１内において導通路を確保する際には、第二係止位置でソケット側切欠部２２とカバー体側切欠部とが不一致となる位置とすることで、ソケット側切欠部２２に対応する位置は透光カバー体３によって閉塞され、またカバー側切欠部に対応する位置にはＬＥＤモジュール用ソケット本体２によって閉塞されて、塵埃や虫等の異物が侵入することもなくまた外観体裁を良好とすることができるＬＥＤモジュール用ソケット１を実現した。
【実施例１】
【００２０】
本発明の実施例１に係るＬＥＤモジュール用ソケット１は、図１及び図２に示すように、ＬＥＤモジュール用ソケット本体２と透光カバー体３とからなる。ＬＥＤモジュール４に対して給電可能な状態で保持し、且つ、当該ＬＥＤモジュール４をヒートシンク５に当接した状態として、発光を確保するためのものである。
本実施例１に係るＬＥＤモジュール用ソケット１は、前記ＬＥＤモジュール用ソケット本体２の下面にＬＥＤモジュール４を取着し、当該ＬＥＤモジュール用ソケット本体２及びＬＥＤモジュール４の各底面をヒートシンク５に当接し、上方から固定螺子７を取付穴２４に対して挿入し、前記ヒートシンク５の固定用穴５０（雌螺子穴）に螺合してＬＥＤモジュール４を固定してヒートシンク５に取付け、透光カバー体３のカバー体側係止部３０とＬＥＤモジュール用ソケット本体２のソケット側係止部２０とを係着して設置するものである。以下、本実施例に係るＬＥＤモジュール用ソケット１の構成について具体的に説明する。
【００２１】
ＬＥＤモジュール用ソケット本体２は、図７（ａ）（ｂ）に示すように、ソケット本体基板２ａとソケット本体蓋板２ｂとこれらの間に介在されるソケット側端子部２１とからなる。
【００２２】
図３に示すように、ソケット本体基板２ａは平面視略円形状の外形輪郭し、当該略円形状の外形輪郭を有する底板の周縁に所定高さの側壁部を有する。側壁部に囲まれる上部全体は開口する。
底板はＬＥＤモジュール４を下方へ露呈させるための中央切欠を有している。当該中央切欠は、後記のソケット本体蓋板２ｂにおける中央穴２６ａ及び取付穴２４に対応する範囲を超える大きさで形成される。
【００２３】
また底板の中央切欠に隣接してＬＥＤモジュール４を挟持するための一対の保持体２７を備えている。保持体２７は腕部２７１と該腕部２７１の先端に連続する保持部２７０とを有し、径方向に対して反発弾性を有する。
また前記ソケット本体基板２ａの側壁部における対向する二箇所には、フック状のソケット側係止部２０を設けている。フック状のソケット側係止部２０は、側壁部の上端から底板の一部に至る二本の直線状の切欠によって形成される。当該構成及び樹脂材料によって形成されることで、ソケット側係止部２０は径方向への反発弾性を有する。
【００２４】
一方、前記ソケット側係止部２０と離間した位置となる側面の対向する二箇所に、前記ソケット側端子部２１を保持するための端子保持部２１ａとこれに連続する配線通路部２３を設けている。
本実施例においては、各配線通路部２３はいずれも前方へ開口しており、ソケット本体基板２ａの円形状輪郭に対して切欠いた形状となる切欠部へ連続している。
【００２５】
前記端子保持部２１ａには、ソケット側端子部２１が配置される。ソケット側端子部２１は、配線６を受け入れる配線保持部２１ａと、前記ＬＥＤモジュール４の端子部４１と接触接続される端子接触部２１ｂとを有する。
【００２６】
ソケット本体蓋板２ｂは、図４に示すように、前記ソケット本体基板２ａの上部開口に嵌合する形状を有し、ＬＥＤモジュール４の発光部４０を露呈させるための中央穴２６ａ、ヒートシンク５への取付けのための取付穴２４、前記ＬＥＤモジュールの保持手段の一部となるガイド部２６ｂを有する。
【００２７】
前記ソケット本体基板２ａ上に重合し嵌合することで、ソケット本体基板２ａに配置されたソケット側端子部２１を上方から押圧固定し、ＬＥＤモジュール４を保持可能な構成とするＬＥＤモジュール用ソケット１を構成する。
【００２８】
ソケット本体蓋板２ｂの中央穴２６ａはソケット本体基板２ａに形成される中央切欠はよりも小さく形成されているため、ソケット本体蓋板２ｂの中央穴２６ａがＬＥＤモジュール用ソケット本体２の中央穴２６ａとなる。
【００２９】
次に、本実施例１に係るＬＥＤモジュール用ソケット１における透光カバー体３は、透光性素材からなり、略半球形状を有する。当該半球形状の縁部の円周上の二箇所には、外部からの配線接続のためのカバー体側切欠部を有する。また、前記縁部に近接する対向する二箇所に、カバー体側係止部（係止穴３０）を有する。
【００３０】
以上の構成によって、本実施例１においては、図５に示すように、ソケット本体基板２ａのソケット側切欠部２２とカバー体側切３１欠部とを一致させた状態で、フック状のソケット側係止部２０と係止穴３０とを係止させる第一係止位置（図５（ａ）参照。）と、当該第一係止位置から軸中心に透光カバー体３を１８０°回転させた位置、即ち、ソケット本体基板２ａのソケット側切欠部２２とカバー体側切欠部３１とが不一致とした状態で、フック状のソケット側係止部２０と係止穴３０とを係止させる第二係止位置（図５（ｂ）参照。）との二つの構造を簡単に切り替えることができるものとなる。この構造の切り替えは、他の部品を使用することなく、当該フック状のソケット側係止部２０と係止穴３０のみで行うことができるため、切り替え作業が容易であることは勿論、製造コストの低減を図ることができる点においても優れる。
【００３１】
本実施例１に係るＬＥＤモジュール用ソケット１を上記第一係止位置における構造とした場合には、図６（ａ）に示すように、ソケット本体基板２ａのソケット側切欠部２２とカバー体側切欠部３１とを一致させた状態で、フック状のソケット側係止部２０と係止穴３０とを係止させた状態であるから、当該配線６を透光カバー体３のカバー体側切欠部から差し込み、ソケット側切欠部２２と透光カバー体３との間に形成される間隙２９、配線通路を通して端子接続部へ接続することができる。
【００３２】
当該第二係止位置における構造とした場合には、図６（ｂ）に示すように、ソケット本体基板２ａのソケット側切欠部２２とカバー体側切欠部３１とが一致せずにフック状のソケット側係止部２０と係止穴３０とを係止させた状態であるから、ソケット側切欠部２２に対応する位置は透光カバー体３によって閉塞され、またカバー側切欠部に対応する位置にはＬＥＤモジュール用ソケット本体２によって閉塞されて、当該透光カバー体３には配線６を導入させる穴が形成されないものとなる。
【００３３】
本実施例１に係るＬＥＤモジュール用ソケット１を上記第二係止位置における構造は、配線６を内部において行うための構成であり、例えば、ヒートシンク５に配線６を通すための穴を設けることにより、内部での配線６を可能とする。即ち、ソケット側端子部２１に接続した配線６を配線通路からソケット側切欠部２２を通し、前記ヒートシンク５に形成した穴へ通すことにより、外部に露呈させることなく配線６を行うことができる。当該構造は、小型のＬＥＤモジュール４においても対応可能であるため、小径のＬＥＤ照明器具等であっても使用することができる。
【実施例２】
【００３４】
また、本発明の変形例として図８に示す実施例２に係るＬＥＤモジュール用ソケット１は、実施例１におけるＬＥＤモジュール用ソケット本体２の形状を、平面視において左右両端を略平行な直線状輪郭に変形させ、側壁のうち当該直線状輪郭をなす部分を平面とした平面部２５として構成したものである。本実施例２における透光カバー体３は、実施例１と共通する。
【００３５】
本実施例２に係るＬＥＤモジュール用ソケット１は、上記ＬＥＤモジュール用ソケット本体２と透光カバー体３との組み合わせにより、前記平面部２５と透光カバー体３との間に側部間隙２８を形成する。このためＬＥＤモジュール用ソケット本体２から透光カバー体３を脱着する際には、指で透光カバー体３を挟み押圧することによって、前記側部間隙２８が確保されているため当該透光カバー体３を容易に変形させ、前記フック状のソケット側係止部２０と係止穴３０との係合を解くことができる。
【００３６】
上記本実施例１、２においては、ＬＥＤモジュール用ソケット本体２は、ソケット本体基板２ａ、ソケット本体蓋板２ｂ及びソケット側端子部２１によって構成しているが、本発明はこれに限定するものではなく、例えばＬＥＤモジュール用ソケット本体２は、ソケット本体基板２ａとソケット本体蓋板２ｂとを一体に形成したもの等とすることもできる。
【００３７】
また、上記実施例１、２のように、ＬＥＤモジュール用ソケット本体２は、ソケット本体基板２ａ、ソケット本体蓋板２ｂ及びソケット側端子部２１による構成であっても、前記実施例に係るソケット本体基板２ａにおける各構成要素はソケット本体蓋板２ｂに設けることもできる。同様に、前記実施例において、ソケット本体蓋板２ｂにおける各構成要素はソケット本体基板２ａに設けることもできる。
【００３８】
また、本発明におけるＬＥＤモジュール用ソケット１におけるソケット側端子部２１は、上記実施例に開示したように予めＬＥＤモジュール用ソケット本体２に取着した構成であるものに限るものではなく、例えば接続される配線６の先端にソケット側端子部２１を圧着等しておき、これをＬＥＤモジュール用ソケット本体２に配線６を差し込んだ状態においてＬＥＤモジュール用ソケット１と一体とされるものを含む。
【００３９】
上記実施例１、２においては、ソケット側係止部２０を雄側の係止部とし、カバー体側係止部３０を雌側の係止部としているが、本発明は当該構成に限定するものではなく、ソケット側係止部２０を雌側の係止部とし、カバー体側係止部３０に雄側の係止部を形成することもできる。
【００４０】
また、上記実施例１、２においては、雄側の係止部及び雌側の係止部はいずれも二つあるものとしているが、本発明は当該構成に限定するものではなく、雄側の係止部は少なくとも一つ、雌側の係止部は少なくとも二つあるものとすることができる。また、ソケット側係止部２０とカバー体側係止部３０はいずれも３組以上とすることもできる。本実施例においては、第一係止位置に対する第二係止位置は一箇所のみとしているが、本発明は上記実施例に限定されるものではなく、第一係止位置に対する第二係止位置は複数個所に形成することができるし、第一係止位置を複数個所に設けることもできる。従って、第一係止位置から第二係止位置への回転角度は１８０°に限られるものではなく、同一所定角度で複数回連続して行うことができるものは勿論、不定間隔で位置を変更するものであってもよい。
【００４１】
本発明に係るＬＥＤモジュール用ソケット１は、家庭用照明、屋内照明等の一般照明のほか、車両用照明等、ＬＥＤによる発光手段を使用する種々の装置等に使用することができる。
【００４２】
本実施例１、２においては、光路に影響の少ない材料によって球面状の透光カバー体３を使用したが、本発明における透光カバー体３は、図１０（ａ）に示す円柱状のものや、図（ｂ）に示すレンズ、図１０（ｃ）に示す反射板を備えたもの等を含み、これらの透光カバー体３を適宜使用することができる。
【符号の説明】
【００４３】
１      ＬＥＤモジュール用ソケット
２      ＬＥＤモジュール用ソケット本体
２ａ    ソケット本体基板
２ｂ    ソケット本体蓋板
２０    ソケット側係止部
２１    ソケット側端子部
２１ａ  端子保持部
２１ｂ  端子接触部
２２    ソケット側切欠部
２３    配線通路部
２４    取付穴
２５    平面部
２６ａ  中央穴
２６ｂ  ガイド部
２７    保持体
２７０  保持部
２７１  腕部
２８    側部間隙
２９    間隙
３      透光カバー体
３０    カバー体側係止部（係止穴）
３１    カバー体側切欠部
４      ＬＥＤモジュール
４０    発光部
４１    端子部
４２    ＬＥＤモジュール基板
５      ヒートシンク
５０    固定用穴
６      配線
７      固定螺子
【要約】
【課題】一組のＬＥＤモジュールソケット本体と透光カバー体によって配線に応じた構造を簡単に切り替えでき、利便性、経済性に優れたＬＥＤモジュール用ソケットを提供する。
【解決手段】ソケット本体と透光カバー体を備え、ソケット本体はソケット側端子部と配線通路部とソケット側係止部を備え、透光カバー体はカバー体側係止部を備え、ソケット側係止部とカバー体側係止部は係脱可能とし且つソケット側係止部とカバー体側係止部のうち雌側となる係止部は複数備え、ソケット側係止部とカバー体側係止部が係止する第一係止位置と、ソケット本体に対しソケット側係止部を軸中心に回転した位置となる第二係止位置を有し、ソケット本体の配線通路部はソケット側切欠部に連続し、透光カバー体はカバー体側切欠部を備え、ソケット側切欠部とカバー体側切欠部が第一係止位置で一致連続し、第二係止位置で不一致となるＬＥＤモジュール用ソケット。
【選択図】図１【図１】
0005548302.tif 000002
【図２】
0005548302.tif 000003
【図３】
0005548302.tif 000004
【図４】
0005548302.tif 000005
【図５】
0005548302.tif 000006
【図６】
0005548302.tif 000007
【図７】
0005548302.tif 000008
【図８】
0005548302.tif 000009
【図９】
0005548302.tif 000010
【図１０】
0005548302.tif 000011